(57)【要約】【課題】空調運転性能や紫外光による室内機の樹脂部品劣化を来すことなく、効率良く安全に空気中を除菌・殺菌でき、室内機を長期的に清潔に保って高い除菌・殺菌作用及び空気清浄化機能を保持する構造の空気調和機を提供すること。【解決手段】この空気調和機の室内機２では、熱交換器１６で熱交換するように送風する貫流ファン１４からの気流を案内するためのケーシング部２２の風路を形成する部分に設けられた紫外線保護部材としてのステンレス板２６が紫外線ランプ２５からの紫外光を遮断してケーシング部２２を保護する。風路におけるステンレス板２６よりも吹出し側で貫流ファン１４の下流側に配備されると共に、少なくとも一個以上の紫外線ランプ２５が収納された紫外線保護部材としてのステンレスカバー２７は、通気性を確保するための開口部２８を有して紫外線ランプ２５からの紫外光を覆って遮蔽することで貫流ファン１４を保護する。【選択図】図３
2011226717.tif 000002
【特許請求の範囲】
【請求項１】
熱交換器と、前記熱交換器で熱交換するように送風する貫流ファンと、前記貫流ファンからの気流を案内するためのケーシング部と、を備えた空気調和機において、
前記ケーシング部の風路を形成する部分に設けられると共に、紫外線発光源からの紫外光を遮断して当該ケーシング部を保護する紫外線保護部材と、
前記風路における前記紫外線保護部材よりも吹出し側で前記貫流ファンの下流側に配備されると共に、前記紫外線発光源としての前記紫外光を発光する紫外線ランプが収納され、且つ通気性を確保するための開口部を有して当該紫外線ランプからの当該紫外光を覆って遮蔽することで当該貫流ファンを保護する紫外線保護カバーと、を備えたことを特徴とする空気調和機。
【請求項２】
請求項１記載の空気調和機において、前記紫外線保護部材は、ステンレス製のステンレス板であり、前記紫外線保護カバーは、ステンレス製のステンレスカバーであると共に、前記開口部が前記風路における前記貫流ファンの上流側と下流側となる両側面にそれぞれ前記ケーシング部の方向へ指向性を持つように傾斜してスリット状に設けられた複数の傾斜スリットを含むことを特徴とする空気調和機。
【請求項３】
請求項２記載の空気調和機において、前記複数の傾斜スリットは、前記貫流ファンの長手方向に沿って互いに平行に設けられたことを特徴とする空気調和機。
【請求項４】
請求項２又は３記載の空気調和機において、前記ステンレス板及び前記ステンレスカバーは、抗菌性能を有するニッケル成分を含むＳＵＳ３０１、ＳＵＳ３０４、ＳＵＳ３０５、ＳＵＳ３１０Ｓ、ＳＵＳ３１６、ＳＵＳ３２１の何れか１つの材質が選定されたことを特徴とする空気調和機。
【請求項５】
請求項２〜４の何れか１項記載の空気調和機において、前記ステンレス板の前記貫流ファンからの気流に接する面と前記ステンレスカバーの内側表面との少なくとも一方側には、光触媒が塗布されたことを特徴とする空気調和機。
【発明の詳細な説明】
【技術分野】
【０００１】
本発明は、室外機と室内機とが配管により接続されて構成される空気調和機に係り、詳しくは除菌・殺菌用に設けられた紫外線発光源による紫外光から樹脂部品を保護する保護部材を適所に備えることにより、室内機を長期的に清潔に保って高い除菌・殺菌作用及び空気清浄化機能を保持する構造の空気調和機に関する。
【背景技術】
【０００２】
一般に、空気調和機（所謂空調装置、エアコン）は、室内空気を熱交換器により循環させ、加熱、冷却、或いは除湿した調和空気にし、これを室内に吹出すことで室内環境を快適なものとする機能を持つものとして知られている。
【０００３】
また、最近の空気調和機では、温度や湿度の調節以外にも様々な機能が付加され、例えば室内外の空気中の水分を凝集して室内空間に吹出すことで加湿して肌の保湿効果を得る機能、赤外線センサ等のセンサ類を搭載して室内空間の人の配置を検知してよりきめ細かな温度制御を行うことで消費電力を低減する機能等が挙げられる。このように、人や空間を快適にする様々な機能の中にあって、以前から搭載され続け、現在でも重要な機能として重要視されるのは室内空気清浄化機能であり、様々な手段で室内空間を快適でクリーンな空気にすることが行われている。
【０００４】
ところで、室内中には、生活に付随して種々の臭いの発生源が生じ、そのあるものは鼻の臭気細胞を刺激し、臭いとして感知される。これらの臭い発生源は、気体、小液滴、微細な塵埃等であり、何れも放置しておくと宇宙線等により電離した空気中のイオン等と衝突して帯電したり、重力のために沈降したり、或いは気流により壁に衝突したりした結果、例えば室内の壁、家具、床、天井等の固定物に吸着されると室内の空気中から取り除かれるか、或いは活性物質と遭遇して分解されたり、変成されると臭いは消えてしまう。
【０００５】
しかしながら、分解されないで部屋の壁や床等に吸着したり、沈降した臭いの発生源は、温度が上がったり、風が当ったり、或いは掃除で舞い上がったりすると、再び室内空気に浮遊することになり、臭いとして感知されるようになる。
【０００６】
更に、近年の住宅環境においては、高気密化が進み、台所で魚、肉を焼いた時等の調理臭に含まれるアセトアルデヒドや居室内で飼育するペットからの尿に含まれるアンモニアの臭い、喫煙によるタバコ臭に含まれる酢酸等の生活臭に加え、最近では低減化が図られているものの、建材の防腐剤から発生するホルムアルデヒド等のＶＯＣガス等、様々な臭いが発生して室内環境を悪化させる原因となる。その他、室内環境を悪化させる要因として、毎年冬季に騒がれるインフルエンザウイルスに代表されるウイルスや菌、カビ類は、目には見えない極微細な物体で空気中を浮遊し、口から体内へ入り込んで感染すると、様々な疾患を誘発する原因となる。
【０００７】
そこで、空気調和機においては、室内環境を悪化させる悪臭やウイルスを抑制又は除去する技術的対策が望まれており、既にそうした技術も提案されている。例えば係る周知技術としては、特性の異なる光再生脱臭部材を組み合わせることにより、広範囲な種類のガスを吸着できる脱臭フィルタを搭載して脱臭性能が高く、完璧な空気調和作用をなす「空気調和機の室内ユニット」（特許文献１参照）や、有害菌及びそれにより発生する悪臭を除去できる「殺菌装置を備えた空気調和器及びその制御方法」（特許文献２参照）が挙げられる。
【０００８】
特許文献１記載の技術では、酸化チタンと活性炭又はゼオライト等の多孔質材とを組合せた波型コルゲート状の脱臭フィルタを室内空気が通過する通風路の塵埃捕集用のフィルタ下流部へ設置することにより、臭気を吸着したり、或いは分解する機能を空気調和機に持たせている。
【０００９】
特許文献２記載の技術では、室内機内部の所定箇所に紫外線ランプを設け、紫外線ランプからの紫外光により通気中を除菌する機能を空気調和機に持たせている。
【先行技術文献】
【特許文献】
【００１０】
【特許文献１】特開２００２−７１１５４号公報
【特許文献２】特開平９−１２６４８５号公報
【発明の概要】
【発明が解決しようとする課題】
【００１１】
上述した特許文献１の空気調和機では、室内機（室内ユニット）において波型コルゲート状の脱臭フィルタを室内空気が通過する通風路における塵埃捕集用のフィルタの下流部に設置し、波型コルゲート形状で形成されるセル（空間）に室内空気を強制的に通過させるため、室内空気が脱臭フィルタを通過する際に圧力損失が生じて通過風量が低下するため、熱交換効率が低下してしまう。これにより、冷房・暖房能力の低下や消費電力の増大を招く可能性があり、脱臭性能が高くても基本的な空調運転性能に支障を来し易い構造となっているという問題がある。
【００１２】
また、活性炭やゼオライト等の多孔質材を基材とした脱臭フィルタは、極微細なポーラスに臭い成分を吸着させることで室内空間の臭いを除去するものであって、根本的に臭い成分を分解することができないため、一定の吸着量を超えると飽和して吸着できなくなってしまう。そこで、酸化チタン等の光触媒を併用して吸着した成分を分解して活性炭やゼオライト等の吸着作用を回復させる必要があるが、臭いの分解作用を有する酸化チタン等の光触媒は蛍光灯の光や紫外光等の光励起により分解作用が発揮される。このため、空気調和機内部における光が届き難い箇所では光触媒の分解作用を十分に発揮させることが困難となっており、脱臭作用が必ずしも十分でないという問題がある。
【００１３】
特許文献２に係る空気調和機では、室内機内部の背面側上部に背外線ランプを配置し、紫外線ランプをエアコンの運転に同期させてオン（ＯＮ）させたときに紫外光を室内機の内部に放射することにより取り込まれた空気を殺菌・脱臭するようにしている。ところが、紫外線ランプからの紫外光が直接的に室内機内部に照射されるため、室内機を構成する樹脂部品を劣化させてしまうために好ましくなく、紫外光による樹脂部品に対する悪影響への対策が必要視される。その他、紫外線ランプの搭載位置が室内機内部の背面上部側であるために紫外線ランプ付近の通過風量が少なく、空気中の菌や悪臭を十分に除去し難い構造となっており、紫外光による除菌・殺菌作用や脱臭効果を安全面を考慮した上で十分に活かし切れていないという性能面での問題もある。
【００１４】
本発明は、このような問題点を解決すべくなされたもので、その技術的課題は、空調運転性能や紫外光による室内機の樹脂部品劣化を来すことなく、効率良く安全に空気中を除菌・殺菌できると共に、室内機を長期的に清潔に保って高い除菌・殺菌作用及び空気清浄化機能を保持する構造の空気調和機を提供することにある。
【課題を解決するための手段】
【００１５】
上記技術的課題を達成するため、本発明は、熱交換器と、熱交換器で熱交換するように送風する貫流ファンと、貫流ファンからの気流を案内するためのケーシング部と、を備えた空気調和機において、ケーシング部の風路を形成する部分に設けられると共に、紫外線発光源からの紫外光を遮断して当該ケーシング部を保護する紫外線保護部材と、風路における紫外線保護部材よりも吹出し側で貫流ファンの下流側に配備されると共に、紫外線発光源としての紫外光を発光する紫外線ランプが収納され、且つ通気性を確保するための開口部を有して当該紫外線ランプからの当該紫外光を覆って遮蔽することで当該貫流ファンを保護する紫外線保護カバーと、を備えたことを特徴とする。
【００１６】
上記空気調和機の第１の実施態様は、紫外線保護部材は、ステンレス製のステンレス板であり、紫外線保護カバーは、ステンレス製のステンレスカバーであると共に、開口部が風路における貫流ファンの上流側と下流側となる両側面にそれぞれケーシング部の方向へ指向性を持つように傾斜してスリット状に設けられた複数の傾斜スリットを含むことを特徴とする。
【００１７】
上記空気調和機の第２の実施態様は、複数の傾斜スリットは、貫流ファンの長手方向に沿って互いに平行に設けられたことを特徴とする。
【００１８】
上記何れかの空気調和機の第３の実施態様は、ステンレス板及びステンレスカバーは、抗菌性能を有するニッケル成分を含むＳＵＳ３０１、ＳＵＳ３０４、ＳＵＳ３０５、ＳＵＳ３１０Ｓ、ＳＵＳ３１６、ＳＵＳ３２１の何れか１つの材質が選定されたことを特徴とする。
【００１９】
上記何れか１つの空気調和機の第３の実施態様は、ステンレス板の貫流ファンからの気流に接する面とステンレスカバーの内側表面との少なくとも一方側には、光触媒が塗布されたことを特徴とする。
【発明の効果】
【００２０】
本発明の空気調和機によれば、室内機において紫外線保護部材、紫外線ランプを収納した紫外線保護カバーの配置、形状を工夫して機内の風路中における通気性が高い箇所及びその周辺を選定して通気性を保てるようにして的確且つ安全に紫外光による除菌・殺菌を行うことが可能になるため、空調運転性能や紫外光による室内機の樹脂部品劣化を来すことなく、機内の風路で通過した空気に含まれる様々な臭気やウイルス、菌を紫外光により効率良く安全に除菌・殺菌し、室内機を長期的に清潔に保ってクリーンな吹出し風による高い除菌・殺菌作用及び空気清浄化機能を保持することが可能となり、結果として、快適な室内環境を提供することができる。
【図面の簡単な説明】
【００２１】
【図１】本発明の実施例１に係る空気調和機についての全体的な外観構成を示した概略図である。
【図２】図１に示す空気調和機に備えられる室内機についての要部の取り付け前の内部構造を示した側面方向での断面図である。
【図３】図１に示す空気調和機に備えられる室内機についての要部となる紫外線保護部材、並びに紫外線ランプを収納した紫外線保護カバーの取り付け後の内部構造を示した側面方向での断面図である。
【図４】図３に示す室内機に備えられる紫外線ランプを収納した紫外線保護カバーの外観構成を示した斜視図である。
【図５】図１に示す空気調和機に備えられる室内機についての要部となる紫外線保護部材、紫外線ランプを収納した紫外線保護カバーの取り付け状態を熱交換器及び貫流ファンを取り外して露呈させて示した正面方向からの斜視図である。
【図６】図１に示す空気調和機に備えられる室内機の脱臭効果について、図３及び図５に示す要部となる紫外線保護部材、並びに紫外線ランプを収納した紫外線保護カバーを配備した構造でアンモニア濃度を測定した結果を自然減衰の場合と比較して示した脱臭特性図である。
【発明を実施するための形態】
【００２２】
以下に本発明の空気調和機について、図面を参照して詳細に説明する。
【実施例１】
【００２３】
図１は、本発明の実施例１に係る空気調和機１についての全体的な外見構成を示した概略図である。
【００２４】
この空気調和機１は、外観上は従来通りの周知な構造のもので、屋外に設置される室外機３と室内に設置される室内機２とが配管５により接続されて構成され、配管５で繋がれた室内機２及び室外機３が協働して室内を空気調和する。
【００２５】
室内機２は、筐体９に取り付けられた化粧枠８の正面側に前面パネル７が配置され、前面パネル７における上面側が空気吸込み口６、下面側が空気吹出し口１３となっている。通常空気吹出し口１３の一画領域には、別体のリモコン１２からの操作指示を示す赤外線による操作信号を受け付けるための受光部１０、並びに運転状況を表示するための表示部１１が設けられる。
【００２６】
図２は、ここでの室内機２についての要部の取り付け前の内部構造を示した側面方向での断面図である。また、図３は、この室内機２についての要部となる紫外線保護部材であるステンレス板２６、並びに紫外線ランプ２５を収納した紫外線保護カバーであるステンレスカバー２８（何れも後文で詳述する）の取り付け後の内部構造を示した側面方向での断面図である。更に、図４は、紫外線ランプ２５を収納した紫外線保護カバーであるステンレスカバー２８の外観構成を示した斜視図である。加えて、図５は、紫外線保護部材であるステンレス板２６、紫外線ランプ２５を収納した紫外線保護カバーであるステンレスカバー２８の取り付け状態を熱交換器１６及び貫流ファン１４を取り外して露呈させて示した正面方向からの斜視図である。
【００２７】
図２を参照すれば、室内機２の筐体９内には、貫流ファン１４、塵埃捕集用のフィルタ１５、１５'、熱交換器１６、露受皿１７、上下風向板１８、左右風向板１９等の基本的な構造体が取付けられて配備される。これらの構造体は、化粧枠８を取付けることにより室内機２内部に内包される。
【００２８】
その他、この室内機２では、図３及び図５に示されるように、熱交換器１６で熱交換するように送風する貫流ファン１４からの気流を案内するためのケーシング部２２の風路を形成する部分（風路自体はケーシング部２２の他、これと連続して配置された吹出し口と吹出し風の方向を制御する羽根構造の上下風向板１８及び左右風向板１９とにより構成される）に設けられると共に、紫外線発光源である紫外線ランプ２５からの紫外光を遮断してケーシング部２２を保護する紫外線保護部材としてのステンレス製のシート状のステンレス板２６と、風路におけるステンレス板２６よりも吹出し側（吹出し風路２０の位置に該当）で貫流ファン１４の下流側に配備されると共に、紫外光を発光する少なくとも一個以上の紫外線ランプ２５が収納され、且つ通気性を確保するための開口部２８を有して紫外線ランプ２５からの紫外光を覆って遮蔽することで貫流ファン１４を保護する紫外線保護カバーとしてのステンレス製の略箱状のステンレスカバー２７と、を備えている。
【００２９】
因みに、ここでのステンレスカバー２７における開口部２８は、図３及び図４に示されるように、風路における貫流ファン１４の上流側と下流側となる両側面にそれぞれケーシング部２２の方向へ指向性を持つように傾斜してスリット状に設けられた複数の傾斜スリットを含む点を特徴としている。
【００３０】
また、各傾斜スリットは、図５に示されるように、貫流ファン１４の長手方向に沿って互いに平行に設けられている。更に、ステンレス板２６及びステンレスカバー２７は、抗菌性能を有するニッケル成分を含むＳＵＳ３０１、ＳＵＳ３０４、ＳＵＳ３０５、ＳＵＳ３１０Ｓ、ＳＵＳ３１６、ＳＵＳ３２１の何れか１つの材質が選定されたものである。加えて、ステンレス板２６の貫流ファン１４からの気流に接する面とステンレスカバー２７の内側表面と（それらの何れか一方側でも構わない）には、光触媒が塗布されている。
【００３１】
図２を参照して室内機２の空調動作を説明すれば、貫流ファン１４を作動することにより空気は室内機２内外を白抜き矢印のような向きに流れ、室内機２内を通過する空気中の塵埃はフィルタ１５、１５'に捕集される。フィルタ１５、１５’は、吸い込まれた室内空気中に含まれる塵埃を取り除くためのものであり、熱交換器１６の吸込側を覆うように配置されている。貫流ファン１４は、室内空気を空気吸込み口６から吸い込んで吹出し風路２０を通過させ、空気吹出し口１３から吹出すように室内機２内の略中央に配置されている。熱交換器１６は貫流ファン１４の吸込側に配置され、略逆Ｖ字状に形成されている。
【００３２】
フィルタ１５、１５’を通過する空気には、室内空間で発生する臭気として台所で魚、肉を焼いた時等の調理臭に含まれるアセトアルデヒドや居室内で飼育するペットからの尿に含まれるアンモニアの臭い、喫煙によるタバコ臭に含まれる酢酸等の生活臭に加え、最近では低減化が図られているものの、建材の防腐剤から発生するホルムアルデヒド等のＶＯＣガス等、様々な臭いが発生する。このため、フィルタ１５、１５'の通過空気の下流部には、活性炭やゼオライト等の多孔質材を基材とした吸着材である略図する波型コルゲート形状の脱臭フィルタ等が設置される。その他、通過する空気に含まれる汚染物質として、毎年冬季に騒がれるインフルエンザウイルスに代表されるウイルスや菌、カビ類がある。これらは目には見えない極微細な物体で空気中を浮遊し、口から体内へ入り込んで感染すると、様々な疾患を誘発する原因となる。このため、これらのウイルスや菌を除菌・殺菌、抑制するために紫外線ランプ２５を室内機２内部に搭載している。
【００３３】
ウイルスや菌を除菌・殺菌できる紫外線波長としては、ウイルスや菌の遺伝子情報を持つＤＮＡの紫外光吸収帯２６０ｎｍ付近である２５４ｎｍ波長のものが最も効果的であり、紫外線ランプ２５の紫外光の波長に設定することが好ましい。しかしながら、その一方で、この波長の紫外光では、室内機２内部の樹脂部品を劣化させてしまう危険性があるため、紫外線ランプ２５を搭載する周囲箇所には紫外光を遮断し、樹脂部品の劣化を抑制する部材を配備する必要がある。
【００３４】
上述したケーシング部２２に設けられたステンレス板２６と、紫外線ランプ２５を収納したステンレスカバー２７とを配備することは、室内機２内部の紫外光による樹脂部品の劣化を防止するために非常に有効である。
【００３５】
具体的に云えば、ウイルスや菌の殺菌、悪臭を抑制するために貫流ファン１４からの気流を案内するケーシング部２２の湾曲形状に合わせたステンレス板２６を重ね合わせて取り付け、そのステンレス板２６上に筒状の幾つかの紫外線ランプ２５を収納して取り付けた紫外光を遮蔽する機能を持つステンレスカバー２７を貫流ファン１４の下流側に配置すれば良い。
【００３６】
ステンレスカバー２７には、予め貫流ファン１４の気流における上流側と下流側とに傾斜スリット状となる開口部２８が設けられており、各傾斜スリットは取り付け状態で貫流ファン１４の長手方向とそれぞれ平行となるように形成され、その状態で配置される。
【００３７】
幾つかの紫外線ランプ２５を収納したステンレスカバー２７は、空気中の大きな埃である塵埃や絨毯等から発生する糸埃、極微細なウイルスや菌、悪臭が混在する汚れた空気を室内機２への流入空気の上流側に位置するフィルタ１５、１５’及び熱交換器１６により大きな埃を除去した後の通気となる貫流ファン１４の下流に配置させているため、ステンレスカバー２７の開口部２８からウイルス、菌を含んだ空気を通過させたとき、ステンレスカバー２７内部にある各紫外線ランプ２５による紫外光でウイルスや菌、悪臭を対象に直接的に照射させることが可能となり、高い除菌・殺菌、脱臭効果が発揮される。
【００３８】
この結果、ステンレスカバー２７の開口部２８を通過した空気は浄化され、クリーンな空気を吹出すことが可能となる。開口部２８は、貫流ファン１４の長手方向と平行に設けられており、その方向に沿って各紫外線ランプ２５が配備されていることにより、通過する空気を広い範囲で除菌・殺菌、脱臭することができる。
【００３９】
また、このような配置により、フィルタ１５、１５‘及び熱交換器１６で糸埃等の塵埃を取り除いた状態の空気を除菌・殺菌、脱臭するため、ステンレスカバー２７に埃が付着して目詰まりを起こして通過空気の圧力損失となり、送風性能を損なうことも事前に防止される。更に、ステンレス板２６は、室内機２の背面側に位置する筐体９及び紫外光による樹脂部品の劣化の影響を最も受け易いケーシング部２２を保護し、ステンレスカバー２７により室内機２内部への紫外光の拡散を防止して貫流ファン１４や化粧枠８、露受け皿１７等の室内機２全面部分に配置される樹脂部品の劣化を抑制することができる。
【００４０】
ステンレス板２６及びステンレスカバー２７の材質は、上述した通りに特にオーステナイト系ステンレスの抗菌性能を有するニッケル成分を含むＳＵＳ３０１、ＳＵＳ３０５、ＳＵＳ３１０Ｓ、ＳＵＳ３１６、ＳＵＳ３２１が好ましく、より好ましくは家電製品等で汎用的に使用されて広く流通しているＳＵＳ３０４が好ましい。ニッケル成分は、一般的に良く知られる銅や銀等と同等の抗菌性能があり、黴に対しても発生・増殖を抑える効果が高く、また耐腐食性にも優れており、仮にフィルタ１５、１５’及び熱交換器１６を通過した塵埃に含まれるウイルスや菌が付着しても、ニッケル成分の抗菌性により室内機２内部を清潔に保つことができる。更に、紫外線ランプ２５からの紫外光がステンレス板２６に照射されることによりニッケル成分の抗菌作用を高めることもできる。加えて、略図するが、ステンレス板２６の貫流ファン１４からの気流に接する面やステンレスカバー２７の内側表面に光触媒を塗布すれば、各紫外線ランプ２５からの紫外光が光触媒の活性を向上させ、ステンレス抗菌作用との相乗効果により抗菌性を向上させることができる。
【００４１】
図６は、実施例１に係る空気調和機に備えられる室内機２の脱臭効果について、ステンレス板２６、並びに各紫外線ランプ２５を収納したステンレスカバー２７を配備した構造でアンモニア濃度を測定した結果を自然減衰の場合と比較して示した脱臭特性図である。
【００４２】
但し、ここでは紫外線ランプ２５には長さが５００ｍｍ、口径φ８ｍｍのサイズのものを単体でステンレスカバー２７内に設け、室内機２内部の脱臭能力を測定した結果を示している。対象とするガスは生ゴミやペット臭等の室内悪臭の大きな要因となるアンモニアを選定した。
【００４３】
試験方法は、１ｍ３ＢＯＸ内に実施例１に係る空気調和機の室内機２を設置し、そのＢＯＸ内のアンモニアガス初期濃度を６０ｐｐｍとし、時間経過（分）に伴うアンモニアガスの残存率（％）を測定して自然減衰の場合と比較した。
【００４４】
測定の結果、図６に示されるように実施例１の空気調和機の室内機２における脱臭特性３０ａからは、６０分後のアンモニアガスの残存率は５％であり、９５％のアンモニアガスを除去できる脱臭効果の高いものであることが判った。これは自然減衰の脱臭特性３０ｂの場合における６０分後のアンモニアガスの残存率５３．１％と比べれば、脱臭効果が顕著になっていることが判る。
【００４５】
因みに、図６では、実施例１に係る空気調和機の室内機２で紫外線ランプ２５の単体を用いた場合の脱臭特性３０ａを示したが、紫外線ランプ２５の個数を増設すれば一層脱臭効果が高められる。また、紫外線ランプ２５による紫外光が除菌・殺菌作用が高いことは、一般的に良く知られているため、その除菌・殺菌特性については説明を省略する。
【００４６】
以上に説明した構成を有する室内機２については、紫外線保護部材としてのステンレス板２６、紫外線ランプ２５を収納した紫外線保護カバーとしてのステンレスカバー２７の配置、形状を工夫して機内の風路中における通気性が高い箇所及びその周辺を選定して通気性を保てるようにして的確且つ安全に紫外光による除菌・殺菌を行うことが可能になるため、空調運転性能や紫外光による室内機２の樹脂部品劣化を来すことなく、機内の風路で通過した空気に含まれる様々な臭気やウイルス、菌を紫外光により効率良く安全に除菌・殺菌し、室内機２を長期的に清潔に保ってクリーンな吹出し風による高い除菌・殺菌作用及び空気清浄化機能を保持することが可能となり、その結果として、快適な室内環境を提供することができる。
【００４７】
即ち、本発明の空気調和機の場合には、室内機２での紫外線発生源、紫外線保護部材の配置、形状を工夫しているため、特許文献１で問題視された室内空気が通過する機内の風路における風量低下による冷房・暖房能力の低下を招くことがなく消費電力のアップを抑制できる他、特許文献２で問題視された紫外光による樹脂部品の劣化が十分に安全性高く防止され、紫外光による除菌・殺菌作用や脱臭効果を十分に活かし切れるものとなる。
【００４８】
尚、上述した実施例１では紫外線保護部材としてのステンレス板２６を室内機２におけるケーシング部２２の風路を形成する貫流ファン１４周囲に沿った部分に設けた構成を説明したが、基本動作や通気を妨げない範囲で更にその他の部分（樹脂部品）に設ける構成としても良い。
【符号の説明】
【００４９】
１  空気調和機
２  室内機
３  室外機
５  接続管
６  空気吸込み口
７  前面パネル
８  化粧枠
９  筐体
１０  受光部
１１  表示部
１２  リモコン
１３  空気吹出し口
１４  貫流ファン
１５、１５'  フィルタ
１６  熱交換器
１７  露受皿
１８  上下風向板
１９  左右風向板
２０  吹出し風路
２２  ケーシング部
２５  紫外線ランプ
２６  ステンレス板
２７  ステンレスカバー
２８  開口部
３０ａ  本実施例空気調和機のアンモニア残存率
３０ｂ  自然減衰アンモニア残存率
【図１】
2011226717.tif 000003
【図２】
2011226717.tif 000004
【図３】
2011226717.tif 000005
【図４】
2011226717.tif 000006
【図６】
2011226717.tif 000007
【図５】
2011226717.tif 000008